(57)【要約】【課題】  複数の工具支持体を保持するマガジンの全体にどのような工具を保有するかの情報を容易に作成して登録することができ、またその情報の利用が容易なプレス機械用工具情報登録装置を提供する。【解決手段】  プレスヘッド２５と、工具４０を支持する工具支持体２７と、この工具支持体２７を複数支持して任意の工具支持体２７をプレスヘッド位置Ｑ１に割り出すマガジン２６とを備えたプレス機械２に適用される。このプレス機械用工具情報登録装置１は、工具支持体編成情報登録手段３と、マガジン編成情報登録手段４とを備える。工具支持体編成情報登録手段３は、工具支持体２７における工具支持部２７ａとその工具支持部２７ａに配置する工具４０の識別情報とを対応させた工具支持体編成情報Ｆ１を、工具支持体名を付けて登録可能な手段である。マガジン編成情報登録手段４は、マガジン２６にどの工具支持体名の工具支持体２７を保有させるかを定めたマガジン編成情報Ｆ２を登録する手段である。【選択図】        図１
2005305505.tif 000002
【特許請求の範囲】
【請求項１】
プレス駆動を行うプレスヘッドと、少なくとも一つの工具を支持する工具支持体と、この工具支持体を複数支持して任意の工具支持体を前記プレスヘッドの位置に割り出すマガジンとを備えたプレス機械に適用されるプレス機械用工具情報登録装置であって、
前記工具支持体における工具支持部とその工具支持部に配置する工具の識別情報とを対応させた情報である工具支持体編成情報を、工具支持体名を付けて登録可能な工具支持体編成情報登録手段と、前記マガジンにどの工具支持体名の工具支持体を保有させるかの情報であるマガジン編成情報を登録可能なマガジン編成情報登録手段とを備えたプレス機械用工具情報登録装置。
【請求項２】
マガジン編成情報登録手段は、マガジン外で工具支持体を保管する予備位置に対しても工具支持体名を登録可能なものとした請求項１記載のプレス機械用工具情報登録装置。
【請求項３】
前記マガジン編成情報登録手段は、マガジン編成情報を記憶する手段である記憶部と、入力操作により前記記憶部に対して登録処理を行う登録処理部とを有し、この登録処理部は、画面表示装置の画面に、これからマガジン編成情報を作成しようとするマガジンの工具支持体名表示部分を有するマガジン編成表示部と、所有する工具支持体を、工具支持体の識別情報によって一覧表示する工具支持体所有一覧表示部と、作成済の工具支持体編成情報の工具支持体名を一覧表示する作成済支持体編成一覧表示部とを並べて表示可能な画面表示出力手段を有し、かつ前記作成済支持体編成一覧表示部に表示された工具支持体名を前記マガジン編成表示部に複写することで、その複写された工具支持体名の工具支持体編成情報を作成中のマガジン編成情報に加える機能を有するものとした請求項１または請求項２記載のプレス機械用工具情報登録装置。
【発明の詳細な説明】
【技術分野】
【０００１】
この発明は、カートリッジ式等の工具支持体を交換して使用するプレス機械において、板金加工のＣＡＭデータや加工プログラムの作成、あるいは段取りの作成等に用いるプレス機械用工具情報登録装置に関するものである。
【背景技術】
【０００２】
従来、複数の工具を交換使用可能としたパンチプレスとして、工具支持体をタレットとするタレット式のものが一般的である。しかし、タレットパンチプレスでは、タレット上に保持できる工具の個数，サイズが限られ、多彩な加工を行うことができない。そのため工具支持体として、次のようなカートリッジを用いるカートリッジ式のパンチプレスが提案されている（例えば特許文献１）。これは、複数の工具を搭載した矩形のカートリッジを複数準備し、これらカートリッジを直線経路のレール上でパンチ位置に出し入れすることにより、カートリッジ交換を行うものである。
【０００３】
しかし、上記カートリッジ式のパンチプレスは、カートリッジ内に並べられた工具の割出を、ラムを有するパンチ駆動部の平面移動により行うものであるため、移動する部分の重量が重くて工具の高速割出が難しい。カートリッジの直線移動により一方向の工具割出を行うものもあるが、これもカートリッジ全体の直線移動が必要なために、高速割出が難しい。
【０００４】
そこで、工具支持体として円形のカートリッジを用い、旋回動作する工具支持体マガジンによりパンチプレス本体に渡すものが試みられている（例えば、特願２００３−０３０１０１号）。
【０００５】
また、従来、タレット式のパンチプレスでは、タレットの各工具ステーションにどの工具を搭載するかのタレット登録情報を、次のように作成している。すなわち、製品の図面から要求される工具の分析を行い、今のタレットに入っている工具と、これからの加工に必要な工具とを比較し、使用する工具を入れ替えてタレット登録を行っている。
【特許文献１】特開２０００−３５１０２８号公報
【発明の開示】
【発明が解決しようとする課題】
【０００６】
タレットパンチプレスでは、固定したタレットという器を用いるため、上記のように加工の都度、使用する工具を入れ替えてタレット登録を作成することでも、支障のない運用が行える。
しかし、カートリッジ式のパンチプレス、特に上記のように旋回するマガジンに、工具支持体となる複数のカートリッジを交換して搭載するものでは、タレットパンチプレスの場合のように登録を行うのでは、効率の良い運用が難しい。
【０００７】
すなわち、上記旋回マガジンに複数のカートリッジを搭載するものでは、従来のタレットパンチプレスの場合の登録の形態を真似ると、マガジンのどの位置にどのカートリッジを配置するかのマガジン全体の器情報を作ってから、マガジン内の個々の器となるカートリッジのどの位置にどの工具を搭載するかの情報を作成することになる。
上記カートリッジは、工具を搭載した状態でマガジンに対して自由に交換できる工具支持体であるのに、上記の登録方法では、マガジンへ搭載するカートリッジの情報が定まってから、そのカートリッジのどの位置にどの工具を搭載するかを定めることになり、運用効率の悪いものとなる。
【０００８】
この発明の目的は、複数の工具支持体を保持するマガジンの全体にどのような工具を保有するかの情報を容易に作成して登録することができ、またその情報の利用が容易なプレス機械用工具情報登録装置を提供することである。
この発明の他の目的は、予備の工具支持体の登録も可能で、より使い勝手の良いものとすることである。
この発明のさらに他の目的は、登録のためのオペレータによる入力操作を容易に行えるようにすることである。
【課題を解決するための手段】
【０００９】
この発明のプレス機械用工具情報登録装置（１）は、プレス駆動を行うプレスヘッド（２５）と、少なくとも一つの工具（４０）を支持する工具支持体（２７）と、この工具支持体（２７）を複数支持して任意の工具支持体（２７）を前記プレスヘッド（２５）の位置（Ｑ）に割り出すマガジン（２６）とを備えたプレス機械（２）に適用される。
このプレス機械用工具情報登録装置（１）は、工具支持体（２７）における工具支持部（２７ａ）とその工具支持部（２７ａ）に配置する工具（４０）の工具番号等の識別情報とを対応させた情報である工具支持体編成情報（Ｆ１）を、工具支持体名を付けて登録可能な工具支持体編成情報登録手段（３）を有する。また、マガジン（２６）にどの工具支持体名の工具支持体（２６）を保有させるかの情報であるマガジン編成情報（Ｆ２）を登録可能なマガジン編成情報登録手段（４）を備える。
【００１０】
この構成によると、工具支持体（２７）における工具支持部（２７ａ）とその位置に配置する工具（４０）の識別情報とを対応させた工具支持体編成情報（Ｆ１）を、工具支持体名を付けて工具支持体編成情報登録手段（３）に登録しておくことができる。また、マガジン（２６）にどの工具支持体（２７）を保有させるかのマガジン編成情報（Ｆ２）を、マガジン編成情報登録手段（４）に、例えばマガジン名で登録することができる。このマガジン編成情報（Ｆ２）は、工具支持体（２７）に配置する工具（４０）が定まった工具支持体編成情報（Ｆ１）を複数組み合わせた情報であり、マガジン全体が保有する工具（４０）の情報を持つことになる。すなわち、工具支持体編成情報（Ｆ１）の登録と、マガジン編成情報（Ｆ２）の登録との複合登録が可能であり、これによりマガジン全体が保有する工具（４０）の情報を持つことになる。
このため、既に作成されている工具支持体編成情報（Ｆ１）を用いてマガジン編成情報（Ｆ２）の登録が行え、しかも工具支持体編成情報（Ｆ１）は工具支持体名で扱うことができ、登録作業が簡単となる。また、登録されたマガジン編成情報（Ｆ２）および工具支持体編成情報（Ｆ１）は、いずれも名前が付されたものとできるため、使い勝手の良いものとなる。
【００１１】
前記マガジン編成情報登録手段（４）は、マガジン（２６）外で工具支持体（２７）を保管する予備位置（３６）に対しても工具支持体名を登録可能なものとしても良い。
この場合、予備の工具支持体（２７）についても、工具（４０）を配置した情報（Ｆ１）を、名前を付けて登録可能であるため、より一層使い勝手の良いものとできる。
【００１２】
前記マガジン編成情報登録手段（４）は、マガジン編成情報（Ｆ２）を記憶する手段である記憶部（９）と、入力操作により前記記憶部（９）に対して登録処理を行う登録処理部（１０）とを有するものとしても良い。その場合に、登録処理部（１０）は、画面表示装置（６）の画面（１２）に、これからマガジン編成情報（Ｆ２）を作成しようとするマガジン（２６）の工具支持体名表示部分を有するマガジン編成表示部（１５）と、所有する工具支持体（２７）を、工具支持体（２７）の識別情報によって一覧表示する工具支持体所有一覧表示部（１６）と、作成済の工具支持体編成情報（Ｆ１）の工具支持体名を一覧表示する作成済支持体編成情報一覧表示部（１７）とを並べて表示可能な画面表示出力手段（１０ａ）を有するものとする。また、前記登録処理部（１０）は、前記作成済支持体編成一覧表示部（１７）に表示された工具支持体名を前記マガジン編成表示部（１５）に複写することで、その複写された工具支持体名の工具支持体編成情報（Ｆ１）を作成中のマガジン編成情報（Ｆ２）に加える機能を有するのとする。
この構成によると、画面（１２）の作成済支持体編成一覧表示部（１７）から、作成済みの工具支持体編成情報（Ｆ１）を選択し、マガジン編成表示部（１５）に複写することで、その工具支持体編成情報（Ｆ１）を作成中のマガジン編成情報（Ｆ２）に加えることができる。そのため、より一層簡単な処理で、マガジン編成情報の登録を行うことができる。
【発明の効果】
【００１３】
この発明のプレス機械用工具情報登録装置は、プレス駆動を行うプレスヘッドと、少なくとも一つの工具を支持する工具支持体と、この工具支持体を複数支持して任意の工具支持体を前記プレスヘッドの位置に割り出すマガジンとを備えたプレス機械に適用されるプレス機械用工具情報登録装置であって、前記工具支持体における工具支持部とその工具支持部に配置する工具の識別情報とを対応させた情報である工具支持体編成情報を、工具支持体名を付けて登録可能な工具支持体編成情報登録手段と、前記マガジンにどの工具支持体名の工具支持体を保有させるかの情報であるマガジン編成情報を登録可能なマガジン編成情報登録手段とを備えるため、複数の工具支持体を保持するマガジンの全体にどのような工具を保有するかの情報を容易に作成して登録することができ、またその情報の利用が使い勝手の良いものとなる。
【００１４】
マガガン編成情報登録手段が、マガジン外で工具支持体を保管する予備位置に対しても工具支持体名を登録可能なものとした場合は、予備の工具支持体の登録も可能で、より使い勝手の良いものとなる。
【００１５】
マガジン編成情報登録手段が、マガジン編成情報を記憶する手段である記憶部と、入力操作により前記記憶部に対して登録処理を行う登録処理部とを有し、この登録処理部は、画面表示装置の画面に、これからマガジン編成情報を作成しようとするマガジンの工具支持体名表示部分を有するマガジン編成表示部と、所有する工具支持体を、工具支持体の識別情報によって一覧表示する工具支持体所有一覧表示部と、作成済の工具支持体編成情報の工具支持体名を一覧表示する作成済支持体編成一覧表示部とを並べて表示可能な画面表示出力手段を有し、かつ前記作成済支持体編成一覧表示部に表示された工具支持体名を前記マガジン編成表示部に複写することで、その複写された工具支持体名の工具支持体編成情報を作成中のマガジン編成情報に加える機能を有するものとした場合は、登録のためのオペレータによる入力操作を容易に行うことができる。
【発明を実施するための最良の形態】
【００１６】
この発明の一実施形態を図１ないし図６と共に説明する。図１において、このプレス機械用工具情報登録装置１は、板金ＣＡＭ装置や自動プログラミング装置の一部等としてコンピュータに設けられ、次の構成のプレス機械２に対して適用されるものである。
このプレス機械２は、プレス駆動を行うプレスヘッド２５と、少なくとも一つの工具４０を支持する工具支持体２７と、この工具支持体２７を複数支持して任意の工具支持体２７を前記プレスヘッド２５の位置Ｑに割り出すマガジン２６とを備えるものである。
【００１７】
図５，図６と共に、適用対象となるプレス機械２の具体例を説明する。プレスヘッド２５の下のパンチ位置Ｏに対して、テーブル３１上で板材Ｗを直交２軸（Ｘ軸，Ｙ軸）方向に送る板材送り機構２３と、複数の工具４０を保持して任意の工具４０をパンチ位置Ｏに割り出す工具割出機構２４と、パンチ位置Ｏに割り出された工具４０を昇降駆動してパンチ加工を行うプレスヘッド２５とを備える。パンチ位置Ｏは、プレスヘッド位置Ｑの中心位置であっても良いが、この実施形態ではプレスヘッド位置Ｑ内の所定の位置とされている。工具４０にはパンチ工具とダイ工具とがあり、これらパンチ工具とダイ工具とは上下に対として用いられる。板材送り機構２３は、Ｙ軸方向に進退するキャリッジ２８にＸ軸方向に進退可能にクロススライド２９を設置し、板材Ｗの端部を把持する複数のワークホルダ３０を、クロススライド２９のＸ軸方向の複数箇所に取付けたものである。ワークホルダ３０は、クロススライド２９に対してＸ軸方向の取付位置を変更可能とされている。
【００１８】
工具割出機構２４は、工具４０を支持する手段２４ａとして、複数または１つの工具４０を搭載した工具支持体２７を、マガジン２６に設けられた工具支持体保持部２６ａに保持する形式のものとされている。工具支持体２７は、いわばカートリッジまたは小さなタレットである。工具支持体マガジン２６とこれに保持された各工具支持体２７とで、上記工具支持手段２４ａが構成される。
【００１９】
工具支持体２７は、外周形状が円形に形成され、内部にそれぞれ工具４０を設置する複数の工具支持部２７ａを有している。工具支持体２７は、工具支持体マガジン２６の任意の工具支持体保持部２６ａに保持可能なように、外周形状が統一されているが、工具支持部２７ａの位置，個数，寸法等の異なる複数種類のものがある。図６（Ａ），（Ｂ）はその工具支持体２７のうちの２つの例をそれぞれ示す。工具支持体２７は上下一対のものが設けられて、それぞれパンチおよびダイとなる工具４０が設置される。
【００２０】
工具支持体マガジン２６は、水平旋回自在に設けられ、外周部の円周方向複数箇所に工具支持体保持部２６ａが設けられている。各工具支持体保持部２６ａは、制御上、アドレスＭ１〜Ｍ８が付される。工具支持体マガジン２６は、上下に一対設けられ、それぞれパンチ側およびダイ側の工具支持体２７を着脱可能に保持する。
なお、工具支持体マガジン２６、工具支持体２７、および工具４０は、それぞれ上記のようにパンチ側のものとダイ側のものとが上下に対として設けられるが、図では上下のものを一つとして示している。
【００２１】
工具割出機構２４は、工具支持体マガジン２６の任意の工具支持体保持部２６ａを、プレスヘッド位置Ｑに対応する旋回角度位置に旋回割出するマガジン割出機構部（図示せず）と、プレスヘッド位置Ｑに割り出された工具支持体保持部２６ａの工具支持体２７を保持してその工具支持体中心回りに回転させる工具支持体割出機構部（図示せず）とを有している。この工具支持体割出機構部で工具支持体２７を回転させることで、工具支持体２７に支持された任意の工具４０をパンチ位置Ｏに位置させることが可能である。
【００２２】
プレス機械２に対して、その近傍に予備位置３６が設けられている。予備位置３６は、マガジン２６に対する交換用の工具支持体２７を保管する場所である。マガジン２６は、工具支持体２７との間で作業者の手作業により、またはＡＴＣ（自動工具交換装置）（図示せず）により、工具支持体２７の交換が可能とされている。
【００２３】
図１において、このプレス機械用工具情報登録装置１は、工具支持体編成情報登録手段３と、マガジン編成情報登録手段４と、工具マスタファイル５とを備え、また液晶表示装置またはＣＲＴ等の画面表示装置６を備えている。工具マスタファイル５は、備えている各工具４０について、工具４０の識別情報となる工具番号に対応して、その工具の形状、サイズ、種類、表示用画像データ等を記憶した手段である。
【００２４】
工具支持体編成情報登録手段３は、工具支持体編成情報Ｆ１を複数登録する手段であって、登録内容を記憶する記憶部７と、この情報Ｆ１の登録処理を行う登録処理部８とで構成される。
【００２５】
一つの工具支持体編成情報Ｆ１には、工具支持体２７における各工具支持部２７ａのアドレス等の情報と、その工具支持部２７ａに配置する工具４０の識別情報（例えば工具番号）とを対応させた情報であり、工具支持体名（例えば「ＴＲ１１」等）を付けて登録される。工具支持体編成情報Ｆ１は、工具４０を保持する器としての工具支持体２７が同じであっても、入れる工具４０の違いや、また工具４０を入れる配置の違いがあると、別の工具支持体編成情報Ｆ１とされる。器としての各工具支持体２７には、１個ずつ個別に識別番号が付され、工具支持体編成情報Ｆ１は、その工具支持体識別情報を有するものとされる。同じ工具支持体識別情報の工具支持体２７に対して、入れる工具４０が異なると、別の工具支持体編成情報Ｆ１が登録されることになる。また、工具支持体２７は、工具支持部２７ａの個数，大きさ，位置等によって、複数のタイプに分類され、同じタイプのものが幾つか用いられて個々に工具支持体識別情報が付されるが、工具支持体編成情報Ｆ１にはこの工具支持体２７のタイプの区別情報を含むものとしておくことが好ましい。
【００２６】
マガジン編成情報登録手段４は、マジガン編成情報Ｆ１を複数登録する手段であって、登録内容を記憶する記憶部９と、この情報Ｆ１の登録処理を行う登録処理部１０とで構成される。
【００２７】
マガジン編成情報Ｆ２は、マガジン２６の工具支持体２７の保有可能個数、つまり工具支持部２７ａの個数に対応させてどの工具支持体名の工具支持体２７を保有させるかの情報である。マガジン編成情報Ｆ２について、個々にマガジン名称が付される。マガジン編成情報Ｆ２においては、どの工具支持体名（例えば「ＴＲ１１」）の工具支持体２７を保有しているかが区別できれば良く、マガジン２６のどの位置（またはアドレス）の工具支持部２７ａに所定名称の工具支持体２７を配置するかは区別しない。したがって、マガジン編成情報Ｆ２では、個数を示すための便宜上の番号「０１，０２…」が付されるが、この番号と工具支持部２７ａの位置とは関係がない。
【００２８】
マガジン編成情報登録手段４は、マガジン２６外で工具支持体２７を保管する予備位置３６に対しても、工具支持体名を登録可能なものとしてある。予備位置３６の工具支持体名の登録は、工具支持体２７のマガジン編成情報Ｆ２の一部として行われるが、工具支持体２７と予備位置３６とに領域を区別して登録されるようにする。
【００２９】
工具支持体編成情報登録手段３およびマガジン編成情報登録手段４における登録処理部８，１０の構成を説明する。これら登録処理部８，１０は、同じ画面表示装置６における画面を切り換えて登録処理を行わせるものとしてある。
【００３０】
工具支持体編成情報登録手段３の登録処理部８は、画面表示装置６の画面１１に、工具支持体編成工具の表示部１３と、工具マスタファル内容の表示部１４とを並べて表示する画面表示出力手段８ａとを有している。図３はこの登録処理の画面１１の具体例を示す。なお、この具体例では、工具支持体２７のことを「タレット」と表現している。
工具マスタファル内容の表示部１４には、工具マスタファイル５に登録された工具４０の一覧が表示される。この一覧には、工具番号に対応して工具形状，サイズ、その他の工具情報が表示される。
【００３１】
工具支持体編成工具の表示部１３には、工具支持体編成情報Ｆ１の作成のために選択された工具支持体２７についての各工具支持部２７ａの識別情報（工具ステーション番号）を表示したエリア１３ａと、その各工具支持部識別情報に対して工具番号等の工具識別情報を表示するエリア１３ｂとが設けられる。
【００３２】
登録処理部８は、エリア１３ａの工具支持体識別情報（工具ステーション番号）と、工具マスタファル内容の表示部１４における希望の工具とを選択することで、エリア１３ｂにその選択した工具を指定可能とされる。選択，指定の方法は、画面上の選択希望内容の表示部分にカーソルを合わせ、「実行」等の入力処理を行うことで可能とされる。選択された工具４０は、画面１３の工具画像表示部１３ｃに表示される。
工具支持体２７の各工具支持部２７ａに対して工具４０を指定し、かつ工具支持体名称を付すことで、一つの工具支持体編成情報Ｆ１が作成される。
【００３３】
図１におけるマガジン編成情報登録手段４の登録処理部１０は、画面表示装置６の画面１２に、マガジン編成表示部１５と、工具支持体所有一覧表示部１６と、作成済支持体編成一覧表示部１７とを並べて表示可能な画面表示出力手段１０ａを有している。図４は、このマガジン登録画面１２の具体例を示す。この具体例においても、工具支持体２７のことを「タレット」と表現している。
【００３４】
画面１２におけるマガジン編成表示部１５は、マガジン編成情報Ｆ２を作成しようとするマガジン２６について、保有させる工具支持体２７の名称を表示する部分である工具支持体名データ表示部１５ａを有している。この工具支持体名データ表示部１５ａに、工具支持体２７の識別情報（同図では「タレットＩＤ」と表現）と、工具支持体２７のタイプ名とが工具支持体名（同図では「タレット名」と表現）と併記して表示されている。
【００３５】
工具支持体所有一覧表示部１６は、所有する工具支持体２７が、その識別情報（タレットＩＤ）によって一覧表示される。この一覧表示には、工具支持体２７のタイプ名が併記される。この一覧表示の中から任意の工具支持体識別情報の表示行をカーソル等で選択することで、工具支持体２７のタイプ表現図１６ａが画面１２に表示される。
【００３６】
作成済支持体編成一覧表示部１７には、作成済の工具支持体編成情報Ｆ１の工具支持体名（図では「タレット名」と表現）が一覧表示される。この一覧表示の各行に、工具支持体名（タレット名）と、工具支持体識別情報（タレットＩＤ）と、工具支持体タイプ名とが表示される。また、この一覧中の任意の表示行をカーソル等で選択することで、工具支持体２７のタイプ表現図１６ａが画面１２に表示される。
【００３７】
図１のマガジン編成情報登録手段４における登録処理部１０は、前記作成済支持体編成一覧表示部１７に表示された工具支持体名をマガジン編成支持体表示部１５に複写することで、その複写された工具支持体名の工具支持体編成情報Ｆ１を作成中のマガジン編成情報Ｆ２に加えるものとする情報複写機能を有している。
また、登録処理部１０は、マガジン編成情報Ｆ２に対して、マガジン２６の工具支持体支持部２６ａの個数よりも多くの工具支持体編成情報Ｆ１を付加する操作を行うと、それ以上の工具支持体２７のセットができない旨の注意表示１８（図４）を画面１２に出力するものとされる。
【００３８】
上記構成のプレス機械用工具情報登録装置１による登録処理の方法を説明する。なお、この説明過程で、上記各手段の構成，作用の補足説明を共に行う。
図２は、登録処理の概念を示す。図１の工具支持体編成情報登録手段３により、図３のような登録画面１１を表示しておき、工具支持体編成情報Ｆ１を作成する。この作成は、希望の工具支持体２７を選択してその各工具支持部２７ａの識別情報（工具ステーション番号）を表示しておき、工具マタタファイル内容表示部１４の中から、希望の工具番号等の工具識別情報を、工具支持部識別情報（工具ステーション番号）に対して指定することで行われる。工具支持体編成情報Ｆ１には工具支持体名を付しておく。このような作業を繰り返して、図２のように複数の工具支持体編成情報Ｆ１を作成しておく。
【００３９】
この後、図１のマガジン編成情報登録手段４により、図４のような登録画面１２を表示させる。この状態で、作成済支持体編成一覧表示部１７に表示された工具支持体名を、マガジン編成表示部１５に複写することで、その複写された工具支持体名の工具支持体編成情報Ｆ１を作成中のマガジン編成情報Ｆ２に加える。この処理を工具支持体２７の工具支持部２７ａの数だけ行うことで、マガジン編成情報Ｆ２が作成される。予備位置３６に対しても、必要に応じて、上記と同様にして工具支持体編成情報Ｆ１を指定する。このように作成されたマガジン編成情報Ｆ２に、マガジン編成名を付して登録する。
マガジン編成情報登録手段４は、新規にマガジン編成情報Ｆ２を作成する他に、既存のマガジン編成情報Ｆ２に対して、一部の工具支持体編成情報Ｆ１を変更することで、新たなマガジン編成情報Ｆ２を作成し、これに新たなマガジン編成名を付して登録を行うことも可能としてある。
【００４０】
このようにして、複数の工具支持体２７を保持するマガジン２６の全体にどのような工具４０を保有するかの情報（マガジン編成情報）Ｆ２を、容易に作成して登録することができる。また、この登録されたマガジン編成情報Ｆ２は、マガジン名称が付され、これに含まれる各工具支持体編成情報Ｆ１も工具支持体名が付されているため、その情報Ｆ１，Ｆ２の利用の使い勝ってが良い。そのため、後の段取り作成や、加工プログラムの作成等の処理が容易に行える。
【００４１】
なお、上記実施形態は、プレス機械が円形のマガジンを有するものとしたが、この発明はマガジンおよびこれに着脱自在に支持されて複数の工具を支持可能な工具支持体２７を有するプレス機械一般について、その登録処理に適用することができる。
【図面の簡単な説明】
【００４２】
【図１】この発明の一実施形態にかかるプレス機械用工具情報登録装置の概念構成を示すブロック図である。
【図２】その登録処理の概要の説明図である。
【図３】支持体編成登録画面の一例を示す説明図である。
【図４】マガジン編成登録画面の一例を示す説明図である。
【図５】適用対象となるプレス機械の一例の平面図である。
【図６】その工具支持体の各例を示す斜視図である。
【符号の説明】
【００４３】
１…プレス機械用工具情報登録装置
２…プレス機械
３…工具支持体編成情報登録手段
４…マガジン編成情報登録手段
５…工具マスタファイル
６…画面表示装置
７…記憶部
８…登録処理部
８ａ…画面表示出力手段
９…記憶部
１０…登録処理部
１０ａ…画面表示出力手段
１１，１２…画面
１３…工具支持体編成工具の表示部
１３ａ，１３ｂ…エリア
１３ｃ…工具画像表示部
１５…マガジン編成表示部
１５ａ…工具支持体名データ表示部
１６…工具支持体所有一覧表示部
１７…作成済支持体編成一覧表示部
２５…プレスヘッド
２６…マガジン
２６ａ…工具支持体保持部
２７…工具支持体
２７ａ…工具支持部
３６…予備位置
４０…工具
Ｆ１…工具支持体編成情報
Ｆ２…マガジン編成情報
【図１】
2005305505.tif 000003
【図２】
2005305505.tif 000004
【図３】
2005305505.tif 000005
【図４】
2005305505.tif 000006
【図５】
2005305505.tif 000007
【図６】
2005305505.tif 000008
【手続補正書】
【提出日】平成16年6月4日(2004.6.4)
【手続補正１】
【補正対象書類名】明細書
【補正対象項目名】００１４
【補正方法】変更
【補正の内容】
【００１４】
マガジン編成情報登録手段が、マガジン外で工具支持体を保管する予備位置に対しても工具支持体名を登録可能なものとした場合は、予備の工具支持体の登録も可能で、より使い勝手の良いものとなる。
【手続補正２】
【補正対象書類名】明細書
【補正対象項目名】００３８
【補正方法】変更
【補正の内容】
【００３８】
上記構成のプレス機械用工具情報登録装置１による登録処理の方法を説明する。なお、この説明過程で、上記各手段の構成，作用の補足説明を共に行う。
図２は、登録処理の概念を示す。図１の工具支持体編成情報登録手段３により、図３のような登録画面１１を表示しておき、工具支持体編成情報Ｆ１を作成する。この作成は、希望の工具支持体２７を選択してその各工具支持部２７ａの識別情報（工具ステーション番号）を表示しておき、工具マスタファイル内容表示部１４の中から、希望の工具番号等の工具識別情報を、工具支持部識別情報（工具ステーション番号）に対して指定することで行われる。工具支持体編成情報Ｆ１には工具支持体名を付しておく。このような作業を繰り返して、図２のように複数の工具支持体編成情報Ｆ１を作成しておく。
【手続補正３】
【補正対象書類名】図面
【補正対象項目名】図１
【補正方法】変更
【補正の内容】
【図１】
2005305505.tif 000009
【手続補正４】
【補正対象書類名】図面
【補正対象項目名】図２
【補正方法】変更
【補正の内容】
【図２】
2005305505.tif 000010